(57)【要約】  【課題】  異なるチューナ部から出力される異なる放送チャンネルに応じた信号の記録処理を同時刻に行なうことが可能な信号記録装置を提供する。  【解決手段】  ＨＤ一体型ＤＶＤレコーダ１は切替部１５を備えており、切替部１５は、外部のＴＶ２のＴＶ表示部２０に接続される出力部ＳＷ１ａを第１チューナ１３又は第２チューナ１４と接続するためのスイッチＳＷ１と、ＨＤＤ１６を第１チューナ１３又は第２チューナ１４と接続するためのスイッチＳＷ２と、ＤＶＤレコーダ１７を第１チューナ１３又は第２チューナ１４と接続するためのスイッチＳＷ３とを有している。切替部１５は、制御部１０からの指示に従って、各スイッチＳＷ１，ＳＷ２，ＳＷ３における接続を各別に切り替える。【選択図】      図１
2005198096.tif 000002
【特許請求の範囲】
【請求項１】
複数のチューナ部と、該チューナ部のいずれかに接続され、該チューナ部が出力する信号の記録処理を行なう複数の記録部と、前記チューナ部及び記録部の接続を切り替える接続切替部とを備える信号記録装置において、
前記接続切替部により一のチューナ部に接続された一の記録部による前記記録処理の開始を検知する検知部と、
該検知部が前記記録処理の開始を検知した場合に、他の記録部を他のチューナ部に接続すべく前記接続切替部を制御する制御部と
を備えることを特徴とする信号記録装置。
【請求項２】
複数のチューナ部と、該チューナ部のいずれかに接続され、該チューナ部が出力する信号の記録処理を行なう複数の記録部と、前記チューナ部及び記録部の接続を切り替える接続切替部とを備える信号記録装置において、
前記接続切替部によりチューナ部に接続された記録部による前記記録処理の終了を検知する検知部と、
該検知部が前記記録処理の終了を検知した場合に、記録処理を終了した記録部を予め設定されたチューナ部に接続すべく前記接続切替部を制御する制御部と
を備えることを特徴とする信号記録装置。
【請求項３】
複数のチューナ部と、該チューナ部のいずれかに接続され、該チューナ部が出力する信号の記録処理を行なう複数の記録部と、前記チューナ部及び記録部の接続を切り替える接続切替部とを備える信号記録装置において、
前記接続切替部により一のチューナ部に接続された一の記録部による前記記録処理の開始及び終了を検知する検知部と、
該検知部が前記記録処理の開始を検知した場合に、他の記録部を他のチューナ部に接続すべく前記接続切替部を制御し、前記検知部が前記記録処理の終了を検知した場合に、記録処理を終了した記録部を予め設定されたチューナ部に接続すべく前記接続切替部を制御する制御部と
を備えることを特徴とする信号記録装置。
【請求項４】
前記チューナ部のいずれかに接続され、前記チューナ部が出力する信号を外部へ出力する出力部を備え、
前記接続切替部は、前記チューナ部及び出力部の接続を切り替えるように構成されており、
前記制御部は、前記検知部が前記記録処理の終了を検知した場合に、記録処理を終了した記録部に接続されていたチューナ部を前記出力部に接続すべく前記接続切替部を制御するように構成されていること
を特徴とする請求項２又は３に記載の信号記録装置。
【請求項５】
複数のチューナ部と、
該チューナ部のいずれかに接続され、該チューナ部が出力する信号の記録処理を行なう複数の記録部と、
前記チューナ部のいずれかに接続され、前記チューナ部が出力する信号を外部へ出力する出力部と、
前記チューナ部及び記録部、並びに前記チューナ部及び出力部の接続を切り替える接続切替部と、
前記接続切替部によりチューナ部に接続された記録部による前記記録処理の終了を検知する検知部と、
該検知部が前記記録処理の終了を検知した場合に、記録処理を終了した記録部に接続されていたチューナ部を前記出力部に接続すべく前記接続切替部を制御する制御部と
を備えることを特徴とする信号記録装置。
【発明の詳細な説明】
【技術分野】
【０００１】
本発明は、複数のチューナ部のそれぞれが出力する信号を記録媒体へ記録する記録部を複数備える信号記録装置に関するものである。
【背景技術】
【０００２】
テレビジョン放送による放送番組の映像信号を受信して記録媒体に記録する記録装置として、記録媒体に磁気テープを用いるビデオカセットレコーダ（ＶＣＲ）が普及している。また、近年では、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクプレーヤが実用化されている。
【０００３】
図５（ａ）は従来のＶＣＲの構成例を示すブロック図である。図５（ａ）に示す従来のＶＣＲ５は、例えばＵＨＦテレビジョン放送信号及びＶＨＦテレビジョン放送信号を受信するＵ／Ｖチューナである第１チューナ５０及び第２チューナ５１の２つのチューナを内蔵しており、第１チューナ５０を外部のテレビジョン（以下ＴＶという）８が備えるＴＶ表示部８０に接続し、第２チューナ５１をＶＣＲ５２に接続して構成されている。このような構成のＶＣＲ５では、選択された放送チャンネルに応じて第１チューナ５０が出力する映像信号をＴＶ表示部８０に表示させると共に、選択された放送チャンネルに応じて第２チューナ５１が出力する映像信号をＶＣＲ５２に記録させることができる。
【０００４】
また、長時間の放送番組の映像信号の録画を可能にするために、２つの記録媒体を一体型に搭載した記録装置が提供されている（例えば、特許文献１参照）。図５（ｂ）は従来のＨＤ一体型ＶＣＲの構成例を示すブロック図であり、図５（ｂ）に示す従来のＨＤ一体型ＶＣＲ６は、第１チューナ６０及び第２チューナ６１の２つのチューナを内蔵しており、第１チューナ６０をＴＶ８のＴＶ表示部８０に接続し、第２チューナ６１をＶＣＲ６３及びＨＤＤ６２に接続して構成されている。このような構成のＨＤ一体型ＶＣＲ６では、第１チューナ６０が出力する映像信号をＴＶ表示部８０に表示させると共に、第２チューナ６１が出力する映像信号をＶＣＲ６３及び／又はＨＤＤ６２に記録させることができる。
【０００５】
一方、近年では、放送衛星（ＢＳ：Broadcasting Satellite）を利用したＢＳ放送が行なわれており、ＢＳからのＢＳ放送信号を受信するＢＳチューナを内蔵した記録装置も提供されている。図５（ｃ）は従来のＢＳチューナ内蔵ＶＣＲの構成例を示すブロック図であり、図５（ｃ）に示す従来のＢＳチューナ内蔵ＶＣＲ７は、Ｕ／Ｖチューナ７０及びＢＳチューナ７１を内蔵している。
【０００６】
またＢＳチューナ内蔵ＶＣＲ７は、ＴＶ８のＴＶ表示部８０との接続が可能な出力部７３ａをＵ／Ｖチューナ７０又はＢＳチューナ７１に接続するためのスイッチ７３と、ＶＣＲ７２をＵ／Ｖチューナ７０又はＢＳチューナ７１に接続するためのスイッチ７４とを備えている。このような構成のＢＳチューナ内蔵ＶＣＲ７では、Ｕ／Ｖチューナ７０又はＢＳチューナ７１が出力する映像信号をＴＶ表示部８０に表示させると共に、Ｕ／Ｖチューナ７０又はＢＳチューナ７１が出力する映像信号をＶＣＲ７５に記録させることができる。
【特許文献１】特許第３４６７８６０号公報
【発明の開示】
【発明が解決しようとする課題】
【０００７】
しかし、上述したような図５（ａ）及び（ｂ）で示す構成の記録装置では、第１チューナ５０，６０が出力する映像信号はＴＶ表示部８０のみに転送され、第２チューナ５１，６１が出力する映像信号はＶＣＲ５２，６３及びＨＤＤ６２のみに転送される。また、ＶＣＲ５２，６３及びＨＤＤ６２のそれぞれが第２チューナ５１，６１から出力される映像信号の記録処理を開始した場合、第２チューナ５１，６１が出力する映像信号における放送チャンネルが固定されるため、図５（ｂ）に示すような２つの記録媒体を搭載した記録装置であっても、２つの記録媒体のそれぞれに同時刻に異なる放送チャンネルによる放送番組の映像信号を記録させることができないという問題があった。
【０００８】
従って、ＨＤ一体型ＶＣＲ６において、同時刻にＨＤＤ６２及びＶＣＲ６３にそれぞれ異なる放送チャンネルの放送番組を記録させるためには、ＨＤＤ６２及びＶＣＲ６３のそれぞれに接続されるチューナ部を設ける必要があり、例えばＴＶ表示用のチューナ部、ＨＤＤ６２用のチューナ部及びＶＣＲ６３用のチューナ部の３つのチューナ部を備えた構成では製造コストが増大するという問題がある。
【０００９】
一方、図５（ｃ）で示すようにＢＳチューナ７１を内蔵する記録装置においては、Ｕ／Ｖチューナを複数備えた構成の装置は提供されていないため、例えばＨＤＤを更に内蔵して２つの記録媒体を搭載した場合であっても、同時刻に異なるＵ／Ｖチューナが出力する異なる放送チャンネルによる放送番組の映像信号を２つの記録媒体のそれぞれに記録させることができないという問題があった。
【００１０】
本発明は斯かる事情に鑑みてなされたものであり、同時刻に異なる放送チャンネルによる映像信号の記録処理を行なうことができると共に、記録処理が開始された記録部以外の他の記録部において次に実行される可能性のある記録処理の準備を行なうことが可能な信号記録装置を提供することを目的とする。また、記録処理を終了した記録部において次に実行される可能性のある記録処理の準備を行なうことが可能な信号記録装置を提供することを他の目的とする。
【００１１】
本発明の他の目的は、記録処理を終了することにより放送チャンネルの固定が解除されたチューナ部から出力される映像信号を外部の装置へ出力することが可能な信号記録装置を提供することにある。
【課題を解決するための手段】
【００１２】
本発明に係る信号記録装置は、複数のチューナ部と、該チューナ部のいずれかに接続され、該チューナ部が出力する信号の記録処理を行なう複数の記録部と、前記チューナ部及び記録部の接続を切り替える接続切替部とを備える信号記録装置において、前記接続切替部により一のチューナ部に接続された一の記録部による前記記録処理の開始を検知する検知部と、該検知部が前記記録処理の開始を検知した場合に、他の記録部を他のチューナ部に接続すべく前記接続切替部を制御する制御部とを備えることを特徴とする。
【００１３】
本発明による場合は、複数のチューナ部のそれぞれが出力する信号の記録処理を行なう記録部を複数備える装置において、１つの記録部が、接続されている１つのチューナ部から出力される信号の記録処理を開始した場合に、他の記録部を他のチューナ部に接続すべく、他の記録部と他のチューナ部との接続を切り替えることにより、記録処理を開始することにより放送チャンネルが固定されたチューナ部以外のチューナ部と、記録処理を開始した記録部以外の記録部とを接続することが可能となる。
【００１４】
本発明に係る信号記録装置は、複数のチューナ部と、該チューナ部のいずれかに接続され、該チューナ部が出力する信号の記録処理を行なう複数の記録部と、前記チューナ部及び記録部の接続を切り替える接続切替部とを備える信号記録装置において、前記接続切替部によりチューナ部に接続された記録部による前記記録処理の終了を検知する検知部と、該検知部が前記記録処理の終了を検知した場合に、記録処理を終了した記録部を予め設定されたチューナ部に接続すべく前記接続切替部を制御する制御部とを備えることを特徴とする。
【００１５】
本発明による場合は、複数のチューナ部のそれぞれが出力する信号の記録処理を行なう記録部を複数備える装置において、チューナ部に接続された記録部が、前記チューナから出力される信号の記録処理を終了した場合に、当該記録部を予め設定されているチューナ部に接続すべく、前記記録部とチューナ部との接続を切り替えることにより、それぞれの記録部が記録処理を行なう都度、適宜切り替えられたチューナ部と記録部との接続を、予め設定されている接続に戻すことが可能となる。
【００１６】
本発明に係る信号記録装置は、複数のチューナ部と、該チューナ部のいずれかに接続され、該チューナ部が出力する信号の記録処理を行なう複数の記録部と、前記チューナ部及び記録部の接続を切り替える接続切替部とを備える信号記録装置において、前記接続切替部により一のチューナ部に接続された一の記録部による前記記録処理の開始及び終了を検知する検知部と、該検知部が前記記録処理の開始を検知した場合に、他の記録部を他のチューナ部に接続すべく前記接続切替部を制御し、前記検知部が前記記録処理の終了を検知した場合に、記録処理を終了した記録部を予め設定されたチューナ部に接続すべく前記接続切替部を制御する制御部とを備えることを特徴とする。
【００１７】
本発明による場合は、複数のチューナ部のそれぞれが出力する信号の記録処理を行なう記録部を複数備える装置において、１つの記録部が、接続されている１つのチューナ部から出力される信号の記録処理を開始した場合に、他の記録部を他のチューナ部に接続すべく、他の記録部と他のチューナ部との接続を切り替えることにより、記録処理を開始することにより放送チャンネルが固定されたチューナ部以外のチューナ部と、記録処理を開始した記録部以外の記録部とを接続することが可能となる。また、チューナ部に接続された記録部が、前記チューナから出力される信号の記録処理を終了した場合に、当該記録部を予め設定されているチューナ部に接続すべく、前記記録部とチューナ部との接続を切り替えることにより、それぞれの記録部が記録処理を行なう都度、適宜切り替えられたチューナ部と記録部との接続を、予め設定されている接続に戻すことが可能となる。
【００１８】
本発明に係る信号記録装置は、前記チューナ部のいずれかに接続され、前記チューナ部が出力する信号を外部へ出力する出力部を備え、前記接続切替部は、前記チューナ部及び出力部の接続を切り替えるように構成されており、前記制御部は、前記検知部が前記記録処理の終了を検知した場合に、記録処理を終了した記録部に接続されていたチューナ部を前記出力部に接続すべく前記接続切替部を制御するように構成されていることを特徴とする。
【００１９】
本発明による場合は、チューナ部に接続された記録部が、前記チューナから出力される信号の記録処理を終了した場合に、当該記録部に接続されていたチューナ部を、該チューナ部が出力する信号を外部へ出力する出力部に接続することにより、記録処理を終了することによりチューナの固定が解除されたチューナ部を前記出力部に接続することが可能となる。
【００２０】
本発明に係る信号記録装置は、複数のチューナ部と、該チューナ部のいずれかに接続され、該チューナ部が出力する信号の記録処理を行なう複数の記録部と、前記チューナ部のいずれかに接続され、前記チューナ部が出力する信号を外部へ出力する出力部と、前記チューナ部及び記録部、並びに前記チューナ部及び出力部の接続を切り替える接続切替部と、前記接続切替部によりチューナ部に接続された記録部による前記記録処理の終了を検知する検知部と、該検知部が前記記録処理の終了を検知した場合に、記録処理を終了した記録部に接続されていたチューナ部を前記出力部に接続すべく前記接続切替部を制御する制御部とを備えることを特徴とする。
【００２１】
本発明による場合は、複数のチューナ部のそれぞれが出力する信号の記録処理を行なう記録部を複数備える装置において、チューナ部に接続された記録部が、前記チューナから出力される信号の記録処理を終了した場合に、当該記録部に接続されていたチューナ部を、該チューナ部が出力する信号を外部へ出力する出力部に接続すべく、前記チューナ部と出力部との接続を切り替えることにより、記録処理を終了することによりチューナの固定が解除されたチューナ部を出力部に接続することが可能となる。
【発明の効果】
【００２２】
本発明によれば、複数のチューナ部のそれぞれが出力する信号の記録処理を行なう記録部を複数備える装置において、１つの記録部が、接続されている１つのチューナ部から出力される信号の記録処理を開始した場合に、記録処理を開始することにより放送チャンネルが固定されたチューナ部以外の他のチューナ部と、記録処理を開始した記録部以外の他の記録部とを接続する。ここで、ある記録部による記録処理の実行中に他の記録部による記録処理を開始する場合、これら２つの記録部により記録媒体に記録される信号は通常異なる放送チャンネルである場合が多い。従って、記録処理を開始した記録部及び該記録部に接続されているチューナ部以外の他の記録部と他のチューナ部とを接続することにより、記録処理が開始された記録部以外の他の記録部において次に実行される可能性のある記録処理の準備を行なうことができる。また、チューナ部のそれぞれと記録部のそれぞれとの接続の切替処理は各別に行なわれるため、記録部の数に対応させた数のチューナ部を設けることなく、同時刻に異なる放送チャンネルによる映像信号の記録処理を行なうことができ、製造コストの削減を図ることができる。
【００２３】
本発明によれば、複数のチューナ部のそれぞれが出力する信号の記録処理を行なう記録部を複数備える装置において、チューナ部に接続された記録部が、前記チューナから出力される信号の記録処理を終了した場合に、予め設定されているチューナ部との接続に戻すことにより、記録処理を終了した記録部において次に実行される記録処理の準備を行なうことができる。
【００２４】
本発明によれば、複数のチューナ部のそれぞれが出力する信号の記録処理を行なう記録部を複数備える装置において、１つの記録部が、接続されている１つのチューナ部から出力される信号の記録処理を開始した場合に、記録処理を開始することにより放送チャンネルが固定されたチューナ部以外の他のチューナ部と、記録処理を開始した記録部以外の他の記録部とを接続することにより、記録処理が開始された記録部以外の他の記録部において次に実行される可能性のある記録処理の準備を行なうことができる。また、チューナ部に接続された記録部が、前記チューナから出力される信号の記録処理を終了した場合に、予め設定されているチューナ部との接続に戻すことにより、記録処理を終了した記録部において次に実行される記録処理の準備を行なうことができる。
【００２５】
本発明によれば、チューナ部に接続された記録部が、前記チューナから出力される信号の記録処理を終了した場合に、記録処理を終了することにより放送チャンネルの固定が解除されたチューナ部を出力部に接続することにより、出力部を外部のテレビジョンに接続した構成において、当該チューナ部から出力されてテレビジョンに表示される放送番組における放送チャンネルを変更することができる。
【発明を実施するための最良の形態】
【００２６】
以下に、本発明をその実施の形態を示す図面に基づいて詳述する。
（実施の形態１）
図１は本発明に係る信号記録装置としてのＨＤ一体型ＤＶＤレコーダの構成例を示すブロック図である。図中１は本発明に係る信号記録装置としてのＨＤ一体型ＤＶＤレコーダを示しており、ＨＤ一体型ＤＶＤレコーダ１は、制御部１０、ＲＯＭ１１、ＲＡＭ１２、第１チューナ（チューナ部）１３、第２チューナ（チューナ部）１４、切替部（接続切替部）１５、ＨＤＤ（記録部）１６、ＤＶＤレコーダ（記録部）１７等を備えており、夫々はバス１８を介して相互に接続されている。
【００２７】
制御部１０は、タイマ（図示せず）を有するＣＰＵ（Central Processing Unit ）又はＭＰＵ（Micro Processor Unit）等により構成されており、バス１８を介して接続される上述したようなハードウェア各部を制御すると共に、ＲＯＭ１１に予め格納されている制御プログラムを適宜ＲＡＭ１２に読み出して実行する。ＲＯＭ１１は、本発明に係るＨＤ一体型ＤＶＤレコーダ１として動作するために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００２８】
第１チューナ１３及び第２チューナ１４は、例えばＵＨＦテレビジョン放送信号及びＶＨＦテレビジョン放送信号の受信用チューナであり、それぞれ選択された放送チャンネルに応じた映像信号（信号）を切替部１５へ出力する。
【００２９】
ＨＤ一体型ＤＶＤレコーダ１は、外部のＴＶ２が備えるＴＶ表示部２０に接続され、第１チューナ１３又は第２チューナ１４が出力する映像信号をＴＶ表示部２０へ出力する出力部ＳＷ１ａを備えている。切替部１５は、出力部ＳＷ１ａを第１チューナ１３及び第２チューナ１４の一方と接続するためのスイッチＳＷ１と、ＨＤＤ１６を第１チューナ１３及び第２チューナ１４の一方と接続するためのスイッチＳＷ２と、ＤＶＤレコーダ１７を第１チューナ１３及び第２チューナ１４の一方と接続するためのスイッチＳＷ３とを備えている。
【００３０】
上述した構成のＨＤ一体型ＤＶＤレコーダ１では、切替部１５のスイッチＳＷ１，ＳＷ２，ＳＷ３によるＴＶ表示部２０、ＨＤＤ１６及びＤＶＤレコーダ１７のそれぞれと、第１チューナ１３及び第２チューナ１４との接続の切替をそれぞれ独立して行なっているため、選択された放送チャンネルに応じて第１チューナ１３が出力する映像信号を、例えばＨＤＤ１６に記録する記録処理と、第２チューナ１４が出力する異なる放送チャンネルの映像信号をＤＶＤレコーダ１７に記録する記録処理とを同時刻に行なうことができる。
【００３１】
また、ＨＤ一体型ＤＶＤレコーダ１において、制御部１０は、切替部１５が有するスイッチＳＷ１，ＳＷ２，ＳＷ３のそれぞれにおける接続状態、ＨＤＤ１６及びＤＶＤレコーダ１７による映像信号の記録処理の開始及び終了を検知する検知部として動作している。なお、ＨＤ一体型ＤＶＤレコーダ１においては、スイッチＳＷ１，ＳＷ２，ＳＷ３における接続状態の初期状態として、ＴＶ表示部２０を第１チューナ１３に、ＨＤＤ１６及びＤＶＤレコーダ１７を第２チューナ１４に接続する接続状態が予め設定されてＲＯＭ１１に記憶されており、ＨＤＤ１６及びＤＶＤレコーダ１７が記録処理を実行していない場合、制御部１０は、ＴＶ表示部２０を第１チューナ１３に、ＨＤＤ１６及びＤＶＤレコーダ１７を第２チューナ１４に接続するように切替部１５を制御する。
【００３２】
制御部１０は、ＨＤＤ１６（又はＤＶＤレコーダ１７）が例えば第２チューナ１４から出力される映像信号をＨＤ（又はＤＶＤ）へ記録する記録処理を開始したことを検知した場合、他の記録部であるＤＶＤレコーダ１７（又はＨＤＤ１６）を他のチューナである第１チューナ１３に接続するように切替部１５を制御する。このように記録処理を開始することにより放送チャンネルが固定された第２チューナ１４以外の第１チューナ１３、記録処理を行なっていないＤＶＤレコーダ１７に接続することにより、ＨＤＤ１６による記録処理の実行中に、ＤＶＤレコーダ１７による記録処理の準備を行なうことができる。
【００３３】
また制御部１０は、例えばＨＤＤ１６が第２チューナ１４から出力される映像信号の記録処理を実行し、ＤＶＤレコーダ１７が第１チューナ１３から出力される映像信号の記録処理を実行している場合に、ＨＤＤ１６（又はＤＶＤレコーダ１７）による記録処理が終了したことを検知した場合、ＨＤＤ１６（又はＤＶＤレコーダ１７）に接続されていた第２チューナ１４（又は第１チューナ１３）と、出力部ＳＷ１ａとを接続するように切替部１５のスイッチＳＷ１を制御する。このように記録処理を終了することにより放送チャンネルの固定が解除された第２チューナ１４をＴＶ表示部２０に接続される出力部ＳＷ１ａに接続することにより、ＴＶ表示部２０に表示される放送番組の放送チャンネルの変更が可能となる。
【００３４】
更に制御部１０は、ＨＤＤ１６及びＤＶＤレコーダ１７の両方による記録処理が終了したことを検知した場合、初期状態として予めＲＯＭ１１に記憶させてある接続状態に、ＴＶ表示部２０、ＨＤＤ１６及びＤＶＤレコーダ１７のそれぞれと、第１チューナ１３及び第２チューナ１４とを接続するように切替部１５を制御する。具体的には、制御部１０は、スイッチＳＷ１によりＴＶ表示部２０を第１チューナ１３に接続し、スイッチＳＷ２によりＨＤＤ１６を第２チューナ１４に接続し、スイッチＳＷ３によりＤＶＤレコーダ１７を第２チューナ１４に接続するように切替部１５を制御する。これにより、ＨＤＤ１６及びＤＶＤレコーダ１７が記録処理を行なう際に適宜切り替えられた第１チューナ１３又は第２チューナ１４との接続を、ＨＤＤ１６及びＤＶＤレコーダ１７による記録処理が終了した場合に、予め設定された接続に戻すことができ、ＨＤＤ１６及びＤＶＤレコーダ１７による記録処理の準備を行なうことができる。
【００３５】
以下に、上述した構成のＨＤ一体型ＤＶＤレコーダ１において、テレビジョン放送による映像信号のＨＤＤ１６及びＤＶＤレコーダ１７による記録処理について説明する。なお、ＨＤ一体型ＤＶＤレコーダ１において、ユーザによる図示しない操作部の操作、又は予め設定された録画処理の開始時刻及び終了時刻等に従って、ＨＤＤ１６及びＤＶＤレコーダ１７の両方による記録処理が実行され、実行されたそれぞれの記録処理が終了されるまでに制御部１０が行なう制御処理について以下に説明する。
【００３６】
図２及び図３は本発明に係るＨＤ一体型ＤＶＤレコーダ１におけるＨＤＤ１６及びＤＶＤレコーダ１７による映像信号の記録処理手順を示すフローチャートである。ＨＤ一体型ＤＶＤレコーダ１において、制御部１０は、テレビジョン放送による映像信号のＨＤＤ１６による記録処理の実行が指示されたか否かを判断する（Ｓ１）。
【００３７】
制御部１０は、ＨＤＤ１６による記録処理の実行が指示されたと判断した場合（Ｓ１：ＹＥＳ）、切替部１５のスイッチＳＷ２によりＨＤＤ１６に接続されている第２チューナ１４が出力する映像信号のＨＤＤ１６による記録処理を開始する（Ｓ２）。また制御部１０は、ＨＤＤ１６に接続されている第２チューナ１４が出力する映像信号における放送チャンネルを固定する（Ｓ３）。更に制御部１０は、切替部１５のスイッチＳＷ３を切り替えてＤＶＤレコーダ１７を第１チューナ１３に接続する（Ｓ４）。
【００３８】
次に制御部１０は、テレビジョン放送による映像信号のＤＶＤレコーダ１７による記録処理の実行が指示されたか否かを判断し（Ｓ５）、ＤＶＤレコーダ１７による記録処理の実行が指示されていないと判断した場合（Ｓ５：ＮＯ）、ＤＶＤレコーダ１７による記録処理の実行が指示されるまで待機する。また、ＤＶＤレコーダ１７による記録処理の実行が指示されたと判断した場合（Ｓ５：ＹＥＳ）、制御部１０は、ステップＳ４で切替部１５のスイッチＳＷ３によりＤＶＤレコーダ１７に接続された第１チューナ１３が出力する映像信号のＤＶＤレコーダ１７による記録処理を開始する（Ｓ６）。また制御部１０は、ＤＶＤレコーダ１７に接続されている第１チューナ１３が出力する映像信号における放送チャンネルを固定する（Ｓ７）。
【００３９】
一方、ステップＳ１で、ＨＤＤ１６による記録処理の実行が指示されていないと判断した場合（Ｓ１：ＮＯ）、即ちＤＶＤレコーダ１７による記録処理の実行が指示されたと判断した場合、制御部１０は、切替部１５のスイッチＳＷ３によりＤＶＤレコーダ１７に接続されている第２チューナ１４が出力する映像信号のＤＶＤレコーダ１７による記録処理を開始する（Ｓ８）。また制御部１０は、ＤＶＤレコーダ１７に接続されている第２チューナ１４が出力する映像信号における放送チャンネルを固定する（Ｓ９）。更に制御部１０は、切替部１５のスイッチＳＷ２を切り替えてＨＤＤ１６を第１チューナ１３に接続する（Ｓ１０）。
【００４０】
次に制御部１０は、テレビジョン放送による映像信号のＨＤＤ１６による記録処理の実行が指示されたか否かを判断し（Ｓ１１）、ＨＤＤ１６による記録処理の実行が指示されていないと判断した場合（Ｓ１１：ＮＯ）、ＨＤＤ１６による記録処理の実行が指示されるまで待機する。また、ＨＤＤ１６による記録処理の実行が指示されたと判断した場合（Ｓ１１：ＹＥＳ）、制御部１０は、ステップＳ１０で切替部１５のスイッチＳＷ２によりＨＤＤ１６に接続された第１チューナ１３が出力する映像信号のＨＤＤ１６による記録処理を開始する（Ｓ１２）。また制御部１０は、ＨＤＤ１６に接続されている第１チューナ１３が出力する映像信号における放送チャンネルを固定する（Ｓ１３）。
【００４１】
次に、制御部１０は、ＨＤＤ１６による記録処理の終了が指示されたか否かを判断しており（Ｓ１４）、ＨＤＤ１６による記録処理の終了が指示されたと判断した場合（Ｓ１４：ＹＥＳ）、ＨＤＤ１６による記録処理を終了する（Ｓ１５）。また制御部１０は、ＨＤＤ１６に接続されている第２チューナ１４（又は第１チューナ１３）が出力する映像信号における放送チャンネルの固定を解除する（Ｓ１６）。更に制御部１０は、ＨＤＤ１６に接続されている第２チューナ１４（又は第１チューナ１３）をＴＶ表示部２０に接続される出力部ＳＷ１ａに接続するように、切替部１５のスイッチＳＷ１を切り替える（Ｓ１７）。
【００４２】
次に制御部１０は、ＤＶＤレコーダ１７による記録処理の終了が指示されたか否かを判断し（Ｓ１８）、ＤＶＤレコーダ１７による記録処理の終了が指示されていないと判断した場合（Ｓ１８：ＮＯ）、ＤＶＤレコーダ１７による記録処理の終了が指示されるまで待機する。また、ＤＶＤレコーダ１７による記録処理の終了が指示されたと判断した場合（Ｓ１８：ＹＥＳ）、制御部１０は、ＤＶＤレコーダ１７による記録処理を終了する（Ｓ１９）。また制御部１０は、ＤＶＤレコーダ１７に接続されている第１チューナ１３（又は第２チューナ１４）が出力する映像信号における放送チャンネルの固定を解除する（Ｓ２０）。
【００４３】
一方、ステップＳ１４で、ＨＤＤ１６による記録処理の終了が指示されていないと判断した場合（Ｓ１４：ＮＯ）、即ちＤＶＤレコーダ１７による記録処理の終了が指示されたと判断した場合、制御部１０は、ＤＶＤレコーダ１７による記録処理を終了する（Ｓ２１）。また制御部１０は、ＤＶＤレコーダ１７に接続されている第２チューナ１４（又は第１チューナ１３）が出力する映像信号における放送チャンネルの固定を解除する（Ｓ２２）。更に制御部１０は、ＤＶＤレコーダ１７に接続されている第２チューナ１４（又は第１チューナ１３）をＴＶ表示部２０に接続される出力部ＳＷ１ａに接続するように、切替部１５のスイッチＳＷ１を切り替える（Ｓ２３）。
【００４４】
次に制御部１０は、ＨＤＤ１６による記録処理の終了が指示されたか否かを判断し（Ｓ２４）、ＨＤＤ１６による記録処理の終了が指示されていないと判断した場合（Ｓ２４：ＮＯ）、ＨＤＤ１６による記録処理の終了が指示されるまで待機する。また、ＨＤＤ１６による記録処理の終了が指示されたと判断した場合（Ｓ２４：ＹＥＳ）、制御部１０は、ＨＤＤ１６による記録処理を終了する（Ｓ２５）。また制御部１０は、ＨＤＤ１６に接続されている第１チューナ１３（又は第２チューナ１４）が出力する映像信号における放送チャンネルの固定を解除する（Ｓ２６）。
【００４５】
制御部１０は、上述したようにＨＤＤ１６及びＤＶＤレコーダ１７の両方による記録処理が終了した場合、初期状態として予めＲＯＭ１１に記憶させてある接続状態に接続されるように、切替部１５の各スイッチＳＷ１，ＳＷ２，ＳＷ３を切り替える（Ｓ２７）。具体的には、制御部１０は、ＴＶ表示部２０に接続される出力部ＳＷ１ａを第１チューナ１３に、ＨＤＤ１６及びＤＶＤレコーダ１７をそれぞれ第２チューナ１４に接続するようにスイッチＳＷ１，ＳＷ２，ＳＷ３を切り替える。
【００４６】
上述したように、ＨＤＤ１６（又はＤＶＤレコーダ１７）が第２チューナ１４から出力される映像信号の記録処理を開始した場合に、ＤＶＤレコーダ１７（又はＨＤＤ１６）を第１チューナ１３に接続することにより、ＨＤＤ１６（又はＤＶＤレコーダ１７）による記録処理が開始されることにより放送チャンネルが固定された第２チューナ１４以外の第１チューナ１３をＤＶＤレコーダ１７（又はＨＤＤ１６）に接続し、ＨＤＤ１６（又はＤＶＤレコーダ１７）による記録処理の実行中に、次に記録処理を開始すべきＤＶＤレコーダ１７（又はＨＤＤ１６）による記録処理の準備を行なうことができる。
【００４７】
また、ＨＤＤ１６及びＤＶＤレコーダ１７による記録処理の実行中に、ＨＤＤ１６（又はＤＶＤレコーダ１７）による記録処理が終了された場合に、切替部１５のスイッチＳＷ１を切り替えて、ＨＤＤ１６（又はＤＶＤレコーダ１７）に接続されている第１チューナ１３（又は第２チューナ１４）を出力部ＳＷ１ａに接続することにより、記録処理を終了することにより放送チャンネルの固定が解除された第１チューナ１３（又は第２チューナ１４）から出力される映像信号をＴＶ表示部２０に表示させることができる。
【００４８】
更に、ＨＤＤ１６及びＤＶＤレコーダ１７の両方による記録処理が終了した場合に、予めＲＯＭ１１に記憶させてある初期状態に切替部１５の各スイッチＳＷ１，ＳＷ２，ＳＷ３を切り替えることにより、ＨＤＤ１６及びＤＶＤレコーダ１７が記録処理を行なう際に適宜切り替えられた第１チューナ１３又は第２チューナ１４との接続を、予め設定された初期状態に戻すことができ、ＨＤＤ１６及びＤＶＤレコーダ１７による次の記録処理の準備を行なうことができる。
【００４９】
（実施の形態２）
以下に、実施の形態２における信号記録装置について詳述する。なお、上述した実施の形態１のＨＤ一体型ＤＶＤレコーダ１と同様の構成については同一の符号を付して説明を省略する。図４は本発明に係る信号記録装置としてのＢＳチューナ内蔵ＨＤ一体型ＤＶＤレコーダの構成例を示すブロック図である。図４中３は本発明に係る信号記録装置としてのＢＳチューナ内蔵ＨＤ一体型ＤＶＤレコーダ（以下、ＨＤ一体型ＤＶＤレコーダという）を示しており、このＨＤ一体型ＤＶＤレコーダ３は、実施の形態１のＨＤ一体型ＤＶＤレコーダ１を構成するハードウェア各部のほか、ＢＳからのＢＳ放送信号による映像信号を受信するＢＳチューナ（チューナ部）１９を更に備えている。
【００５０】
また、ＨＤ一体型ＤＶＤレコーダ３における切替部１５は、外部のＴＶ２が備えるＴＶ表示部２０に接続される出力部ＳＷ１ａを、第１チューナ１３，第２チューナ１４及びＢＳチューナ１９のいずれかに接続するためのスイッチＳＷ１と、ＨＤＤ１６を第１チューナ１３，第２チューナ１４及びＢＳチューナ１９のいずれかに接続するためのスイッチＳＷ２と、ＤＶＤレコーダ１７を第１チューナ１３，第２チューナ１４及びＢＳチューナ１９のいずれかに接続するためのスイッチＳＷ３とを備えている。
【００５１】
上述した構成により、本実施の形態のＨＤ一体型ＤＶＤレコーダ３では、例えば、選択された放送チャンネルに応じて第１チューナ１３が出力する映像信号をＨＤＤ１６に記録する記録処理と、第２チューナ１４が出力する異なる放送チャンネルの映像信号をＤＶＤレコーダ１７に記録する記録処理と、ＢＳチューナ１９が出力する映像信号をＴＶ２のＴＶ表示部２０に表示させる表示処理とを同時刻に行なうことができる。
【００５２】
また、予めＲＯＭ１１に記憶してある切替部１５のスイッチＳＷ１，ＳＷ２，ＳＷ３における初期接続状態を、実施の形態１と同様に、ＴＶ表示部２０を第１チューナ１３に、ＨＤＤ１６及びＤＶＤレコーダ１７を第２チューナ１４に接続する接続状態とした場合には、本実施の形態のＨＤ一体型ＤＶＤレコーダ３の制御部１０は、実施の形態１に係るＨＤ一体型ＤＶＤレコーダ１の制御部１０と同様の制御処理を行なうため説明を省略する。
【００５３】
なお、予めＲＯＭ１１に記憶する切替部１５のスイッチＳＷ１，ＳＷ２，ＳＷ３における初期接続状態は、上述した接続状態に限られず、例えば、ＴＶ表示部２０を第１チューナ１３に、ＨＤＤ１６をＢＳチューナ１９に、ＤＶＤレコーダ１７を第２チューナ１４に接続する接続状態を初期状態としてＲＯＭ１１に記憶させておくこともできる。
【００５４】
このような接続状態を初期状態としてＲＯＭ１１に記憶させたＨＤ一体型ＤＶＤレコーダ３において、制御部１０は、例えば地上波を用いたテレビジョン放送による映像信号をＨＤＤ１６により記録する記録処理の実行が指示された場合、切替部１５のスイッチＳＷ２を切り替えてＨＤＤ１６を例えば第２チューナ１４に接続する。また制御部１０は、第２チューナ１４に接続されていたＤＶＤレコーダ１７を例えば第１チューナ１３に接続するようにスイッチＳＷ３を切り替える。これにより、ＨＤＤ１６が記録処理を開始することにより放送チャンネルが固定された第２チューナ１４以外の例えば第１チューナ１３をＤＶＤレコーダ１７に接続し、ＨＤＤ１６による記録処理の実行中に、ＤＶＤレコーダ１７による記録処理の準備を行なうことができる。
【００５５】
また、制御部１０は、例えばＨＤＤ１６が第２チューナ１４から出力される映像信号の記録処理を実行し、ＤＶＤレコーダ１７が第１チューナ１３から出力される映像信号の記録処理を実行しているときに、ＨＤＤ１６（又はＤＶＤレコーダ１７）による記録処理が終了したことを検知した場合に、切替部１５のスイッチＳＷ１を切り替えてＨＤＤ１６（又はＤＶＤレコーダ１７）に接続されていた第２チューナ１４（又は第１チューナ１３）を出力部ＳＷ１ａに接続する。これにより、ＨＤＤ１６（又はＤＶＤレコーダ１７）による記録処理を終了することにより放送チャンネルの固定が解除された第２チューナ１４（又は第１チューナ１３）から出力される映像信号をＴＶ表示部２０に表示させることができる。
【００５６】
更に、制御部１０は、ＨＤＤ１６及びＤＶＤレコーダ１７の両方による記録処理が終了したことを検知した場合に、初期状態として予めＲＯＭ１１に記憶させてある接続状態に、ＴＶ表示部２０、ＨＤＤ１６及びＤＶＤレコーダ１７のそれぞれと、第１チューナ１３、ＢＳチューナ１９及び第２チューナ１４とを接続するように切替部１５のスイッチＳＷ１，ＳＷ２，ＳＷ３を切り替える。これにより、ＨＤＤ１６及びＤＶＤレコーダ１７が記録処理を行なう際に適宜切り替えられた第１チューナ１３、ＢＳチューナ１９又は第２チューナ１４との接続を、予め設定された初期状態に戻すことができ、ＨＤＤ１６及びＤＶＤレコーダ１７による次の記録処理の準備を行なうことができる。
【００５７】
上述した各実施の形態では、記録媒体としてＨＤＤ１６及びＤＶＤレコーダ１７を内蔵したＨＤ一体型ＤＶＤレコーダ１，３について説明したが、ＨＤＤ１６及びＤＶＤレコーダ１７に限られず、例えばＶＣＲを備える構成でもよく、３つ以上の記録媒体を備える構成でもよい。また、実施の形態１では第１チューナ１３及び第２チューナ１４を備える構成のＨＤ一体型ＤＶＤレコーダ１を例に、実施の形態２では第１チューナ１３、第２チューナ１４及びＢＳチューナ１９を備える構成のＨＤ一体型ＤＶＤレコーダ３を例に説明しているが、４つ以上のチューナを備える構成でもよく、また、テレビジョン放送による映像信号を受信するチューナはＵＶチューナ及びＢＳチューナに限られない。
【図面の簡単な説明】
【００５８】
【図１】本発明に係るＨＤ一体型ＤＶＤレコーダの構成例を示すブロック図である。
【図２】本発明に係るＨＤ一体型ＤＶＤレコーダにおける映像信号の記録処理手順を示すフローチャートである。
【図３】本発明に係るＨＤ一体型ＤＶＤレコーダにおける映像信号の記録処理手順を示すフローチャートである。
【図４】本発明に係るＢＳチューナ内蔵ＨＤ一体型ＤＶＤレコーダの構成例を示すブロック図である。
【図５】（ａ）は従来のＶＣＲの構成例を示すブロック図、（ｂ）は従来のＨＤ一体型ＶＣＲの構成例を示すブロック図、（ｃ）は従来のＢＳチューナ内蔵ＶＣＲの構成例を示すブロック図である。
【符号の説明】
【００５９】
１  ＨＤ一体型ＤＶＤレコーダ（信号記録装置）
１０  制御部（検知部）
１３  第１チューナ（チューナ部）
１４  第２チューナ（チューナ部）
１５  切替部（接続切替部）
ＳＷ１  スイッチ
ＳＷ１ａ  出力部
１６  ＨＤＤ（記録部）
１７  ＤＶＤレコーダ（記録部）
１９  ＢＳチューナ（チューナ部）
【図１】
2005198096.tif 000003
【図２】
2005198096.tif 000004
【図３】
2005198096.tif 000005
【図４】
2005198096.tif 000006
【図５】
2005198096.tif 000007